(57)【要約】【課題】撮像素子の信号出力を複数チャンネルで出力する電子カメラにおいて、チャンネルのゲイン差を考慮した最適な暗電流補正を行う。【解決手段】複数チャンネルの信号出力を有する単板の撮像素子１と、前記複数チャンネルの信号の暗電流を補正する暗電流補正計算部６とを備えた電子カメラの暗電流補正回路であって、前記撮像素子１は受光面に受光素子を配列して構成され、前記撮像素子が、被写体像を光電変換して画像信号を生成する有効画素領域と、前記有効画素領域の上辺に沿って形成された水平オプティカルブラック部とを有し、前記暗電流補正計算部６は、前記複数チャンネルごとに、前記有効画素領域の画像信号レベルから前記水平オプティカルブラック部から検出された暗電流レベルを減算して暗電流補正を行うことを特徴とする。【選択図】      図１
2004357135.tif 000002
【特許請求の範囲】
【請求項１】
複数チャンネルの信号出力を有する単板の撮像素子と、前記複数チャンネルの信号の暗電流を補正する暗電流補正計算部とを備えた電子カメラの暗電流補正回路であって、
前記撮像素子は受光面に受光素子を配列して構成され、前記撮像素子が、被写体像を光電変換して画像信号を生成する有効画素領域と、前記有効画素領域の上辺に沿って形成された水平オプティカルブラック部とを有し、
前記暗電流補正計算部は、前記複数チャンネルごとに、前記有効画素領域の画像信号レベルから前記水平オプティカルブラック部から検出された暗電流レベルを減算して暗電流補正を行うことを特徴とする電子カメラの暗電流補正回路。
【請求項２】
前記撮像素子の前記複数チャンネルが、前記有効画素領域の色に対応して独立してなることを特徴とする請求項１に記載の電子カメラの暗電流補正回路。
【請求項３】
前記撮像素子の前記複数チャンネルが、前記有効画素領域の奇数列および偶数列の色に対応して独立してなることを特徴とする請求項２に記載の電子カメラの暗電流補正回路。
【請求項４】
分割測光部と、前記分割測光部の輝度情報に基づく高輝度被写体の位置判定手段と、前記位置判定手段の判定結果によって前記暗電流レベルの算出に使用する前記水平オプティカルブラック部の領域を選択するオプティカルブラック部選択手段とをさらに備えることを特徴とする請求項１から請求項３のいずれか１項に記載の電子カメラの暗電流補正回路。
【請求項５】
前記オプティカルブラック部選択手段は、前記位置判定手段が少なくとも前記有効画素領域上部に高輝度被写体が存在すると判断した場合に、高輝度被写体の影響を受けない前記水平オプティカルブラック部の領域のみを選択することを特徴とする請求項４に記載の電子カメラの暗電流補正回路。
【発明の詳細な説明】
【０００１】
【発明の属する技術分野】
本発明は、複数チャンネルの信号出力を有する電子カメラの暗電流補正回路に関する。
【０００２】
【従来の技術】
ビデオカメラやデジタルスチルカメラ等の電子カメラでは、色再現精度の向上および画像情報の高速処理化の観点から、特許文献１に開示されるように、撮像素子の信号出力を各色別に複数チャンネルで出力することが行われている。
一方、電子カメラに用いられる撮像素子には、受光素子の蓄積電荷に含まれる暗電流成分による暗電流ノイズがあることが従来から知られている。この暗電流ノイズの除去手段には、被写体を撮影した画像と別に暗黒画像を一枚余分に撮影し、被写体を撮影した画像のレベルから暗黒画像から検出された暗電流レベルを減算する方法が知られている。
【０００３】
また、他の暗電流ノイズの除去手段には、撮像素子の一部の受光素子を遮光膜で遮光して、暗電流を検出するオプティカルブラック（ＯｐｔｉｃａｌＢｌａｃｋ）部を形成し、有効画素領域の画像レベルからオプティカルブラック部で検出された暗電流レベルを減算する方法が知られている。この方法では一回の撮影のみで暗電流補正が行える点で上記の暗電流ノイズの除去手段よりも有利である。
【０００４】
【特許文献１】
特開２００１−７８２２６公報
【０００５】
【発明が解決しようとする課題】
ここで上記従来技術のオプティカルブラック部を用いた暗電流補正では、オプティカルブラック部全体の暗電流レベルの平均値を算出し、有効画素領域の画像レベルから上記の平均値を減算している。しかし、撮像素子の信号出力を各色別に複数チャンネルで出力する電子カメラでは、各チャンネル毎にゲインが相違し、暗電流レベルも各チャンネル毎にそれぞれ異なる。したがって、各チャンネルの暗電流レベルを合算した平均値で画像信号の暗電流補正をした場合、暗電流成分の多いチャンネルでは補正に用いる暗電流レベルが本来の暗電流レベルよりも少なくなるので、暗電流成分を引き足りない現象が起こる。また逆に、暗電流成分の少ないチャンネルでは補正に用いる暗電流レベルが本来の暗電流レベルよりも多くなるので、暗電流成分よりも過剰に引きすぎてしまう現象が起こる。
【０００６】
また、撮像素子の出力信号の暗電流成分は、受光素子に加わる周囲からの熱等で大きく変動することが知られている。したがって、例えば長秒時撮影等の条件下でオプティカルブラック部の信号読み出しが遅くなると、オプティカルブラック部で検出される暗電流レベルが現実よりも大きくなってしまい、暗電流補正の精度が大幅に低下するという問題があった。
【０００７】
さらに、オプティカルブラック部を用いた暗電流補正で、オプティカルブラック部付近の有効画素領域に高輝度の被写体が存在する場合には、オプティカルブラック部の受光素子に迷光が侵入して、暗電流補正の精度が低下するという問題があった。
本発明は上記従来技術の課題を解決するためにされたものであり、その目的は、撮像素子の信号出力を複数チャンネルで出力する電子カメラにおいて、チャンネルのゲイン差を考慮した最適な暗電流補正を行うことである。また、本発明の他の目的は、長秒時撮影等の条件下で暗電流補正の精度を向上させることである。
【０００８】
さらに、本発明の他の目的は、オプティカルブラック部付近の有効画素領域に高輝度の被写体が存在する場合に、暗電流補正の精度を向上させることである。
【０００９】
【課題を解決するための手段】
請求項１に記載の発明は、複数チャンネルの信号出力を有する単板の撮像素子と、前記複数チャンネルの信号の暗電流を補正する暗電流補正計算部とを備えた電子カメラの暗電流補正回路であって、前記撮像素子は受光面に受光素子を配列して構成され、前記撮像素子が、被写体像を光電変換して画像信号を生成する有効画素領域と、前記有効画素領域の上辺に沿って形成された水平オプティカルブラック部とを有し、前記暗電流補正計算部は、前記複数チャンネルごとに、前記有効画素領域の画像信号レベルから前記水平オプティカルブラック部から検出された暗電流レベルを減算して暗電流補正を行うことを特徴とする。
【００１０】
請求項２に記載の発明は、請求項１に記載の発明において、前記撮像素子の前記複数チャンネルが、前記有効画素領域の色に対応して独立してなることを特徴とする。
請求項３に記載の発明は、請求項２に記載の発明において、前記撮像素子の前記複数チャンネルが、前記有効画素領域の奇数列および偶数列の色に対応して独立してなることを特徴とする。
【００１１】
請求項４に記載の発明は、請求項１から請求項３のいずれか１項に記載の発明において、分割測光部と、前記分割測光部の輝度情報に基づく高輝度被写体の位置判定手段と、前記位置判定手段の判定結果によって前記暗電流レベルの算出に使用する前記水平オプティカルブラック部の領域を選択するオプティカルブラック部選択手段とをさらに備えることを特徴とする。
【００１２】
請求項５に記載の発明は、請求項４に記載の発明において、前記オプティカルブラック部選択手段は、前記位置判定手段が少なくとも前記有効画素領域上部に高輝度被写体が存在すると判断した場合に、高輝度被写体の影響を受けない前記水平オプティカルブラック部の領域のみを選択することを特徴とする。
【００１３】
（作用）
請求項１の発明では、暗電流レベルを検出する水平オプティカルブラック部は、有効画素領域の上辺に位置する。暗電流補正計算部では、各チャンネルの画像信号から暗電流レベルが減算されて暗電流補正が行われる。この暗電流補正は、撮像素子の複数チャンネル毎に別々に行われる。
【００１４】
請求項２の発明では、撮像素子のチャンネルが色ごとに独立しており、色再現精度の向上および画像情報の高速処理化が実現される。
請求項３の発明では、撮像素子の有効画素領域の色配列が偶数列と奇数列で異なる場合において、撮像素子のチャンネルが有効画素領域の奇数列および偶数列の色ごとに独立している。
【００１５】
請求項４の発明では、分割測光部の輝度情報に基づいて高輝度被写体の位置判定がなされる。そして、この判定結果によって暗電流レベルの算出に使用する水平オプティカルブラック部の領域が選択される。
請求項５の発明では、有効画素領域上部に高輝度被写体が存在する場合に、高輝度被写体の影響を受けない前記水平オプティカルブラック部の領域のみが選択され、暗電流補正の精度が向上する。
【００１６】
【発明の実施の形態】
以下、図面に基づいて本発明の実施の形態を詳細に説明する。
（第１実施形態）
図１は、請求項１、２、４、５に対応する第１実施形態の暗電流補正回路の構成を示す図である。
【００１７】
第１実施形態の暗電流補正回路は、単板の撮像素子１と、２つのＣＤＳ回路２と、２つのゲイン回路３と、２つのクランプ回路４と、２つのＡ／Ｄ変換回路５と、暗電流補正計算部６と、信号処理部７と、マイクロプロセッサ８と、分割測光部９と、撮像素子１を駆動させる撮像素子駆動回路（図示を省略する）とから構成される。
【００１８】
撮像素子１の構成を図２に示す。撮像素子１の受光面には、有効画素領域１０と水平オプティカルブラック部１１とが形成されている。
撮像素子１の有効画素領域１０は、受光素子が２次元配列されて形成される。この有効画素領域１０では、撮像素子１の受光面に投影された被写体像を光電変換して画像信号が生成される。
【００１９】
この有効画素領域１０には、赤色（ｒｅｄ；以下Ｒという）、緑色（ｇｒｅｅｎ；以下Ｇという）および青色（ｂｌｕｅ；以下Ｂという）に対応するフィルタを規則的に配列してなるカラーフィルタアレイが配置されており、被写体像はＲ，Ｇ，Ｂの画像信号に変換されることになる。なお、カラーフィルタの配列としては、奇数列（または偶数列）に赤色および緑色のフィルタを交互に配置し、偶数列（または奇数列）に緑色および青色のフィルタを交互に配列し、奇数列と偶数列の緑色のフィルタを互い違いに配列した、いわゆるベイヤー配列などが公知である。
【００２０】
水平オプティカルブラック部１１は有効画素領域１０の上辺に沿って形成されている。この水平オプティカルブラック部１１は受光素子が２次元配列されて形成され、水平オプティカルブラック部１１の表面は遮光膜によって覆われている。この水平オプティカルブラック部１１の遮光された受光素子により、暗電流レベルを示す暗電流成分信号が生成される。なお、水平オプティカルブラック部１１の各受光素子は、有効画素領域のＲ、Ｇ、Ｂのいずれの画像信号の補正に使用されるかが割り振られている。
【００２１】
ここで、水平オプティカルブラック部１１を有効画素領域１０の上辺に沿って形成したのは、以下の理由による。すなわち、例えば、長秒時撮影の場合にオプティカルブラック部の暗電流成分信号の読み出しが遅くなると、周囲からの熱等によりオプティカルブラック部で検出される暗電流レベルが大きくなってしまい、暗電流補正の精度が低下する。そのため、本発明は、オプティカルブラック部を有効画素領域１０の上側に配置して、水平オプティカルブラック部１１の暗電流成分信号の読み出しを優先するようにしたものである。
【００２２】
そして、有効画素領域１０および水平オプティカルブラック部１１には、受光素子の列単位に垂直読み出し線（図示を省略する）がそれぞれ設けられる。これらの垂直読み出し線の出力端には、水平読み出し線１３が設けられる。そして、第１実施形態の水平読み出し線１３には、ＲおよびＢの画像信号に対応したＲ／Ｂ出力チャンネル１４と、Ｇの画像信号に対応したＧ出力チャンネル１５とが設けられている。
【００２３】
第１実施形態の暗電流補正回路では、撮像素子のＲ／Ｂ出力チャンネル１４およびＧ出力チャンネル１５ごとに、ＣＤＳ回路２、ゲイン回路３、クランプ回路４およびＡ／Ｄ変換回路５が直列して設けられている。Ｒ／Ｂ出力チャンネル１４およびＧ出力チャンネル１５のＡ／Ｄ変換回路５の出力は、ともに暗電流補正計算部６に接続されている。
【００２４】
暗電流補正計算部６では、Ｒ／Ｂ出力チャンネル１４とＧ出力チャンネル１５とで、それぞれ別々に暗電流補正を行う。これは各チャンネル毎のゲイン回路３の特性やチャンネルごとの設定の相違などによって、各チャンネル毎にゲインが異なるので、各チャンネル別に暗電流補正を行うことで、暗電流補正の精度を向上させるためである。
【００２５】
暗電流補正計算部６の出力は信号処理部７に接続されている。信号処理部７は暗電流補正計算部６から出力された画像信号に画像処理を施す。信号処理部７の出力は、画像信号をモニタ表示するモニタ表示部や、画像信号を圧縮記録する記憶部に接続される（モニタ表示部および記憶部の図示は省略する）。
マイクロプロセッサ８は、撮像素子１、暗電流補正計算部６および信号処理部７の動作を制御する。このマイクロプロセッサ８には、分割測光部９が信号接続されている。例えば、一眼レフ式の電子カメラの場合、この分割測光部９はファインダ光学系（例えばペンタプリズム）の近傍に配置され、ファインダ像の分割測光を実行する。
【００２６】
また、マイクロプロセッサ８は、分割測光部９からの輝度情報に基づいて高輝度被写体の位置を判定する高輝度被写体の位置判定手段と、暗電流レベルの算出に使用する水平オプティカルブラック部１１の領域を選択するオプティカルブラック部選択手段としても機能する。
【００２７】
ここで、第１実施形態の暗電流補正回路が、高輝度被写体の位置判定手段と、オプティカルブラック部選択手段とを備えるのは、以下の理由による。
オプティカルブラック部の受光素子にはそれぞれ特性の相違があるため、より多くの受光素子から暗電流レベルを抽出して、画像信号の暗電流補正を行うことが補正精度向上の点から望ましい。しかし、図３に示すように、有効画素領域１０と水平オプティカルブラック部１１との境目に強い光が照射された場合、遮光膜の下の酸化膜に、遮光膜の端部から迷光が侵入することがある。したがって、画面上部に高輝度被写体が存在する場合、有効画素領域に隣接するオプティカルブラック部では、迷光の影響で暗電流ノイズの検出精度が著しく低下する。
【００２８】
そのため、有効画素領域１０の上側に高輝度被写体が存在しない場合には、マイクロプロセッサ８は水平オプティカルブラック部１１の全体を選択して暗電流レベルを抽出し、補正精度を向上させる。一方、有効画素領域１０の上側に高輝度被写体が存在する場合には、マイクロプロセッサ８は、高輝度被写体の影響を受けない水平オプティカルブラック部１１の領域のみを選択し、迷光の影響を排除するものである。
【００２９】
第１実施形態の暗電流補正回路は上記のように構成され、以下、図４に示すステップ番号に沿って、第１実施形態の暗電流補正回路の動作説明を行う。
ステップＳ１：マイクロプロセッサ８は、ユーザーによるシャッタレリーズを待機する。シャッタレリーズに応じて、マイクロプロセッサ８はステップＳ２に動作を移行する。
【００３０】
ステップＳ２：マイクロプロセッサ８は、分割測光部９から被写界の分割測光結果（輝度情報）を取得する。マイクロプロセッサ８は、この測光結果に基づいて公知の露出計算を実行し、露出条件を決定する。
ステップＳ３：マイクロプロセッサ８は、ユーザーの手動または自動で設定されたシャッタ時間を検出する。
【００３１】
ステップＳ４：マイクロプロセッサ８は、検出されたシャッタ時間を閾値判定する。閾値以上のシャッタ時間で長秒時撮影する場合（ＹＥＳ側）、マイクロプロセッサ８はステップＳ５に動作を移行する。
一方、閾値未満のシャッタ時間で撮影する場合（ＮＯ側）、マイクロプロセッサ８はステップＳ８に動作を移行する。なお、シャッタ時間が閾値未満の場合、暗電流の影響は微小であるので画像信号の暗電流補正は行われず、後述のステップＳ１１およびＳ１２が省略される。
【００３２】
ステップＳ５：マイクロプロセッサ８は、ステップＳ２で取得した有効画素領域１０上部の測光値の閾値判定を行う。ここで、有効画素領域１０上部の測光値が閾値以上の場合（ＹＥＳ側）、マイクロプロセッサ８はステップＳ６に動作を移行する。一方、有効画素領域１０上部の測光値が閾値未満の場合（ＮＯ側）、マイクロプロセッサ８はステップＳ７に動作を移行する。
【００３３】
ステップＳ６：ここでは、有効画素領域１０上部に高輝度被写体が存在するため、水平オプティカルブラック部１１に迷光が侵入するおそれがある。そこで、マイクロプロセッサ８は、暗電流補正計算部６に、水平オプティカルブラック部１１のうち、高輝度被写体の影響を受けない領域の使用を指示する。
具体的には、有効画素領域１０に隣接する水平オプティカルブラック部１１を、水平方向に１ラインまたは複数ライン分だけ除外し、残りの水平オプティカルブラック部１１で暗電流レベルを計算するようにする。
【００３４】
その他、高輝度被写体が左右いずれかに偏在している場合には、高輝度被写体が存在する片側半分だけ、水平オプティカルブラック部１１を下から１ラインまたは複数ライン分だけ除外し、残りの水平オプティカルブラック部１１で暗電流レベルを計算するようにしてもよい。
かかる指示のあと、マイクロプロセッサ８はステップＳ８に動作を移行する。
【００３５】
ステップＳ７：一方、ここでは、少なくとも有効画素領域１０上部に高輝度被写体が存在しないことから、水平オプティカルブラック部１１の全体を暗電流レベルの計算に使用しても支障がない。そこで、マイクロプロセッサ８は、暗電流補正計算部６に水平オプティカルブラック部１１の領域全体の使用を指示する。かかる指示のあと、マイクロプロセッサ８はステップＳ８に動作を移行する。
【００３６】
ステップＳ８：マイクロプロセッサ８は、ステップＳ２で決定した露出条件に従って撮像素子１を制御し、被写体像の光電変換を実行する。
ステップＳ９：マイクロプロセッサ８は、撮像素子１内の垂直読み出し線および水平読み出し線１３を経由して、水平オプティカルブラック部１１および有効画素領域１０から信号を読み出す。これらの信号のうち、Ｒの画像信号、Ｂの画像信号、ＲとＢに対応する暗電流成分信号は、水平読み出し線１３のＲ／Ｂ出力チャンネル１４から出力される。また、Ｇの画像信号、Ｇに対応する暗電流成分信号は、垂直読み出し線１３に設けられたＧ出力チャンネル１５から出力される。
【００３７】
ステップＳ１０：各チャンネル毎に出力された画像信号および暗電流成分信号は、各チャンネルのＣＤＳ回路２、ゲイン回路３、クランプ回路４およびＡ／Ｄ変換回路５を通過する。
ＣＤＳ回路２は、信号出力のノイズ成分を低減し、ゲイン回路３は、ノイズが除去された信号出力を増幅する。クランプ回路４は、入力された信号の波形の特定部分を一定の電圧レベルにクランプし、Ａ／Ｄ変換回路５は、増幅された信号のＡ／Ｄ変換を行う。
【００３８】
ステップＳ１１：暗電流補正計算部６は、ステップＳ６またはＳ７のマイクロプロセッサの指示に従って、使用を指示された水平オプティカルブラック部１１の領域の暗電流成分信号を各チャンネルごとに別々に平均化し、Ｒ／Ｂ出力チャンネル１４の暗電流レベルの平均値と、Ｇ出力チャンネル１５の暗電流レベルの平均値を求める。
【００３９】
ステップＳ１２：暗電流補正計算部６は、画像信号の値から、ステップＳ１１で求めた、対応チャンネルの暗電流レベルの平均値を減算して、各出力チャンネル別に暗電流補正を実行する。具体的には、暗電流補正計算部６は、ＲおよびＢの画像信号からＲ／Ｂ出力チャンネル１４の暗電流レベルの平均値をそれぞれ減算する。また、暗電流補正計算部６は、Ｇの画像信号からＧ出力チャンネル１５の暗電流レベルの平均値を減算する。
【００４０】
ステップＳ１３：信号処理部７は、暗電流補正後の画像信号に、ガンマ補正、色分離、ホワイトバランスなどの信号処理を行う。信号処理部７から出力された画像信号は、その後に圧縮符号化されて記録媒体（メモリーカード等）に記憶される。
以上説明したように、第１実施形態では、暗電流補正計算部６が、Ｒ／Ｂ出力チャンネル１４およびＧ出力チャンネル１５で、それぞれ別々に暗電流補正を行うので、各チャンネルのゲイン差を考慮した最適な暗電流補正が行われる。
【００４１】
また、第１実施形態では、水平オプティカルブラック部１１を有効画素領域１０の上辺に沿って形成したので、長秒時撮影の場合等に水平オプティカルブラック部１１の暗電流成分信号の読み出しが優先的に行われ、周囲からの熱等の影響による暗電流成分信号の誤差が減少する。
さらに、第１実施形態では、マイクロプロセッサ８が高輝度被写体の位置判定手段と、オプティカルブラック部選択手段として機能するので、有効画素領域１０の上側に高輝度被写体が存在する場合には、高輝度被写体の影響を受けない水平オプティカルブラック部１１の領域から暗電流レベルが検出され、暗電流補正での迷光の影響が排除される。
【００４２】
（第２実施形態）
図５は、請求項１、２、３、４、５に対応する第２実施形態の暗電流補正回路の構成を示す図である。なお、第２実施形態で第１実施形態と同様の構成には、同一符号を付して説明を省略する。
【００４３】
第２実施形態では、撮像素子の出力チャンネルを、有効画素領域の奇数列および偶数列の色ごとに設け、４チャンネルの出力とした点で第１実施形態と相違する。各出力チャンネルは、有効画素領域の奇数列（または偶数列）の赤色（Ｒ）および緑色（Ｇｒ）、偶数列（または奇数列）の緑色（Ｇｂ）および青色（Ｂ）に対応する。ＣＤＳ回路２、ゲイン回路３、クランプ回路４およびＡ／Ｄ変換回路５は、各チャンネル毎に設けられる。そして、暗電流補正計算部６は、４つの出力チャンネルごとに、それぞれ別々に暗電流補正を行う。
【００４４】
第２実施形態では、第１実施形態の効果に加えて、撮像素子のチャンネルを４チャンネルとしたことで、画像情報の一層の高速処理化が実現される。
以上、本発明を上記の実施形態によって説明してきたが、本発明の技術的範囲は上記実施形態に限定されるものではない。例えば、上記実施形態では、ＸＹアドレス方式（ＣＭＯＳ方式など）の撮像素子を用いたが、ＣＣＤ方式の撮像素子を用いてもよい。また、撮像素子の出力チャンネルをＲ，Ｇ，Ｂに対応した３チャンネル出力としてもよい。さらに、実施形態では、長秒時撮影の場合のみ暗電流補正を行う例を示したが、その他の場合にも暗電流補正を行うように設定してもよい。
【００４５】
なお、請求項４および請求項５の発明は、複数チャンネルの場合だけでなく、図６に示すように、単板の撮像素子が、Ｒ、Ｇ、Ｂを１つのチャンネルで出力する場合に適用してもよい。
【００４６】
【発明の効果】
本発明では、撮像素子の信号出力を複数チャンネルで出力する電子カメラにおいて、各チャンネルの出力信号毎に独立して暗電流補正が行われる。そのため、チャンネルのゲイン差を考慮した最適な暗電流補正が行われる。また、本発明では、水平オプティカルブラック部を有効画素領域の上辺に沿って形成したので、長秒時撮影等の条件下での暗電流補正の精度がより向上する。
【００４７】
さらに、本発明では、有効画素領域の上側に高輝度被写体が存在する場合であっても、オプティカルブラック部に侵入する迷光の影響を排除した暗電流補正が可能となる。
【図面の簡単な説明】
【図１】本発明の第１実施形態について説明するシステム図である。
【図２】撮像素子の構成を示す図である。
【図３】水平オプティカルブラック部への迷光の侵入を説明するための図である。
【図４】暗電流補正回路の動作を説明する流れ図である。
【図５】本発明の第２実施形態について説明するシステム図である。
【図６】出力チャンネルが１つの場合の暗電流補正回路のシステム図である。
【符号の説明】
１    撮像素子
２    ＣＤＳ回路
３    ゲイン回路
４    クランプ回路
５    Ａ／Ｄ変換回路
６    暗電流補正計算部
７    信号処理部
８    マイクロプロセッサ
９    分割測光部
１０  有効画素領域
１１  水平オプティカルブラック部
１３  水平読み出し線
１４  Ｒ／Ｂ出力チャンネル
１５  Ｇ出力チャンネル
２０  Ｒ出力チャンネル
２１  Ｇｒ出力チャンネル
２２  Ｇｂ出力チャンネル
２３    Ｂ出力チャンネル
３０  出力チャンネル
【図１】
2004357135.tif 000003
【図２】
2004357135.tif 000004
【図３】
2004357135.tif 000005
【図４】
2004357135.tif 000006
【図５】
2004357135.tif 000007
【図６】
2004357135.tif 000008